(57)【要約】【課題】  装置本体の大型化を抑えた上で、用紙貯留ユニットの交換作業の容易性を確保することもに、装置本体の据え付け姿勢の自由度を向上させる。【解決手段】  装置本体１１に内装されたロール紙貯留ユニット２０に装着されたロール紙Ｒから引き出される引出し紙Ｒ０に対して所定の画像形成処理を施すことにより当該引出し紙Ｒ０に画像を転写する画像形成装置１０に関し、ロール紙貯留ユニット２０は、装置本体１１内で一対が互いに対向配置されているとともに、装置本体１１から互いに反対方向に引き出し可能に構成されている。【選択図】      図２
2005255298.tif 000002
【特許請求の範囲】
【請求項１】
装置本体に内装された用紙貯留ユニットから給紙される用紙に対して所定の画像形成処理を施すことによって当該用紙に画像を転写する画像形成装置において、
前記用紙貯留ユニットは、前記装置本体内で一対が互いに対向配置されているとともに、前記装置本体から互いに反対方向に引き出し可能に構成されていることを特徴とする画像形成装置。
【請求項２】
前記用紙は、ロール紙であることを特徴とする請求項１記載の画像形成装置。
【請求項３】
前記各用紙貯留ユニットには、対向面に用紙を上方へ向って導出する導出口が設けられている一方、前記装置本体内には、前記各用紙貯留ユニットが装置本体内に押し込まれた状態で前記各導出口に対向し、かつ、それぞれの導出口から導出された用紙を所定の用紙搬送路へ導く幅広の用紙受入口が設けられていることを特徴とする請求項１または２記載の画像形成装置。
【請求項４】
前記用紙貯留ユニットは、前記ロール紙を支持する支持ローラを備えた筐体と、前記支持ローラをローラ心回りに駆動する駆動系とを有し、前記筐体は、前記装置本体内を前後方向に横断するように敷設されたガイドレールにガイドされつつ正逆移動し得るように支持されていることを特徴とする請求項２または３記載の画像形成装置。
【請求項５】
前記装置本体には、筐体が前記装置本体内の所定の収納位置へ押し込まれた状態で当該筐体の一部が当止するストッパと、筐体の収納位置での収納状態を保持する保持ピンが設けられ、前記筐体には、前記保持ピンと係合する係合姿勢と、係合を解除する解除姿勢との間で姿勢変更する係合部材が設けられていることを特徴とする請求項１乃至４のいずれかに記載の画像形成装置。
【発明の詳細な説明】
【技術分野】
【０００１】
本発明は、装置本体に内装された用紙貯留ユニットから給紙される用紙に対し所定の画像形成処理を施すことによって当該用紙に画像を転写するように構成された画像形成装置に関するものである。
【背景技術】
【０００２】
従来、特許文献１に記載されているような画像形成装置が知られている。この画像形成装置は、装置本体内に複数段で装着される、ロール紙用の給紙カセットを有し、この給紙カセットから引き出されたロール紙に画像情報に基づく所定の転写処理を施すことによって当該ロール紙に画像が形成されるようになされている。
【０００３】
前記各給紙カセットは、装置本体の一側面から当該装置本体に対して挿脱可能に装着されていることから、一側面に小物や備品等が配置されるような場合には、これら備品等が邪魔になって給紙カセットを装置本体から引き出すことができず、ロール紙の交換を行うことができなくなるという不具合が生じる。かかる不具合を解消するために、装置本体は、その一側面が備品等の存在する側から外れる向きになるように据え付けられるが、このようにすると、操作パネルがオペレータの正面からずれることがあり、使い勝手が悪くなる等、据え付け姿勢の自由度が狭まるという新たな問題点が提起される。
【０００４】
かかる不都合を解消するものとして、特許文献２には、給紙カセットを装置本体の一側面と、この一側面に対向した他側面との両側に向けて引き出し可能としたものが提案されている。かかる方式を採用することにより、装置本体の一側面側に備品等が配置された場合には、給紙カセットを他側面から引き出せばよく、これによって装置据え付けの自由度が向上する。
【特許文献１】特開平９−１０６１２４号公報
【特許文献２】特許第３４５１４６２号公報
【発明の開示】
【発明が解決しようとする課題】
【０００５】
しかしながら、特許文献２のものにあっては、複数段の給紙カセットの段数が多くなると、それに伴い装置本体の背丈が高くなって操作パネルや原稿の給紙部が設けられる装置本体の上面が高位置になるため、操作性が低下するという不都合が生じる。
【０００６】
本発明は、かかる状況に鑑みなされたものであって、装置本体の大型化を抑えた上で、用紙貯留ユニットの交換作業の容易性を確保するとともに、装置本体の据え付け姿勢の自由度を向上させることができる画像形成装置を提供することを目的としている。
【課題を解決するための手段】
【０００７】
請求項１記載の発明は、装置本体に内装された用紙貯留ユニットから給紙される用紙に対して所定の画像形成処理を施すことによって当該用紙に画像を転写する画像形成装置において、前記用紙貯留ユニットは、前記装置本体内で一対が互いに対向配置されているとともに、前記装置本体から互いに反対方向に引き出し可能に構成されていることを特徴とするものである。
【０００８】
かかる構成を採用したことにより、設定段数の２倍の用紙貯留ユニットを装置本体内に装着することが可能になり、これによって画像形成装置の大型化を抑えた上で各種サイズやより多量の用紙を装置本体内に装着することができる。
【０００９】
また、用紙貯留ユニットは、装置本体から互いに反対方向に引き出し可能になっているため、対向配置された用紙貯留ユニットの一方の引き出し側に備品や小物等の異物が存在しているような場合、他方の引き出し側の用紙貯留ユニットを使用することができ、これによって、用紙貯留ユニットの交換作業の容易性を確保した上で、異物の存在に影響されることなく装置本体の据え付け姿勢を設定することが可能になり、画像形成装置の据え付け姿勢設定の自由度が向上する。
【００１０】
請求項２記載の発明は、請求項１記載の発明において、前記用紙は、ロール紙であることを特徴とするものである。
【００１１】
かかる構成を採用したことにより、ロール紙を対象とした画像形成装置について、請求項１と同様の作用効果が得られる。
【００１２】
請求項３記載の発明は、請求項１または２記載の発明において、前記各用紙貯留ユニットには、対向面に用紙を上方へ向って導出する導出口が設けられている一方、前記装置本体内には、前記各用紙貯留ユニットが装置本体内に押し込まれた状態で前記各導出口に対向し、かつ、それぞれの導出口から導出された用紙を所定の用紙搬送路へ導く幅広の用紙受入口が設けられていることを特徴とするものである。
【００１３】
かかる構成を採用したことにより、各用紙紙貯留ユニットが装置本体内に押し込まれた状態で、いずれか一方の用紙貯留ユニットからその導出口を介して導出された用紙は、用紙搬送路に設けられた幅広の受入口に確実に捕捉され、用紙搬送路へ向うことになる。
【００１４】
請求項４記載の発明は、請求項２または３記載の発明において、前記用紙貯留ユニットは、前記ロール紙を支持する支持ローラを備えた筐体と、前記支持ローラをローラ心回りに駆動する駆動系とを有し、前記筐体は、前記装置本体内を前後方向に横断するように敷設されたガイドレールにガイドされつつ正逆移動し得るように支持されていることを特徴とするものである。
【００１５】
かかる構成によれば、ロール紙は、用紙貯留ユニットの筐体の支持ローラに軸支されることによってローラ心回りに回転可能に筐体に装着された状態になるとともに、駆動系の駆動による支持ローラのローラ心回りの駆動回転で画像形成位置へ向けて給紙されることになる。そして、ロール紙の装着された筐体は、前記装置本体内を前後方向に横断するように敷設されたガイドレールにガイドされつつ正逆移動し得るように支持されているため、筐体の装置本体に対する挿脱操作が容易になる。
【００１６】
請求項５記載の発明は、請求項１乃至４のいずれかに記載の発明において、前記装置本体には、筐体が前記装置本体内の所定の収納位置へ押し込まれた状態で当該筐体の一部が当止するストッパと、筐体の収納位置での収納状態を保持する保持ピンが設けられ、前記筐体には、前記保持ピンと係合する係合姿勢と、係合を解除する解除姿勢との間で姿勢変更する係合部材が設けられていることを特徴とするものである。
【００１７】
かかる構成を採用すれば、装置本体内に押し込まれた筐体は、装置本体に設けられたストッパに規制されることによってオーバーランが阻止され、所定の収納位置に収納される。そして、筐体が装置本体に収納された状態で、係合部材を係合姿勢に姿勢設定することによって当該係合部材が保持ピンに係合し、これによって筐体の装置本体への収納状態が維持される一方、係合部材の操作によって当該係合部材の保持ピンに対する係合を解除することにより、筐体は装置本体から引き出し得るようになる。
【発明の効果】
【００１８】
請求項１記載の発明によれば、用紙貯留ユニットは、装置本体内で一対が互いに対向配置されているため、設定段数の２倍の用紙貯留ユニットを装置本体内に装着することが可能になり、これによって画像形成装置の大型化を抑えた上で各種サイズやより多量の用紙を装置本体内に装着することができるようにした上で、画像形成装置のコンパクト化に貢献することができる。
【００１９】
また、用紙貯留ユニットは、装置本体から互いに反対方向に引き出し可能になっているため、種々の原因で一方の用紙貯留ユニットが引き出し困難になっても、他方の引き出し側の用紙貯留ユニットを使用することができる。したがって、用紙の交換作業の容易性を確保した上で、異物の存在に影響されることなく装置本体の据え付け姿勢を設定することが可能になり、画像形成装置の据え付け姿勢設定の自由度を向上させることができる。
【００２０】
請求項２記載の発明によれば、用紙としてロール紙が採用されているため、ロール紙は、枚葉紙に比べて上下方向に嵩高くなり、これによって装置本体の上下寸法が過大になる傾向があるが、用紙貯留ユニットの一対を装置本体内の同一高さレベルで対向配置することにより、装置本体の過大化を有効に抑止することができる。
【００２１】
請求項３記載の発明によれば、各用紙紙貯留ユニットが装置本体内に押し込まれた状態で、いずれか一方の用紙貯留ユニットからその導出口を介して導出された用紙は、用紙搬送路に設けられた幅広の受入口に捕捉されるため、画像形成するためにいずれの用紙貯留ユニットが選択されても、当該用紙貯留ユニットに装填されている用紙を確実に用紙搬送路へ向かわせることができる。
【００２２】
請求項４記載の発明によれば、ロール紙は、用紙貯留ユニットの筐体の支持ローラに軸支されることによってローラ心回りに回転可能に筐体に装着された状態になるとともに、駆動系の駆動による支持ローラのローラ心回りの駆動回転で画像形成位置へ向けて給紙されるため、ロール紙の画像形成位置への給紙を確実に行うことができる。
【００２３】
また、ロール紙の装着された筐体は、装置本体内を前後方向に横断するように敷設されたガイドレールにガイドされつつ正逆移動するため、筐体の装置本体に対する挿脱操作を容易に行うことができる。
【００２４】
請求項５記載の発明によれば、装置本体内に押し込まれた筐体は、装置本体に設けられたストッパに規制されることでオーバーランが阻止され、所定の収納位置に収納されとともに、装置本体に収納された状態で、係合部材を係合姿勢に姿勢設定することによって当該係合部材が保持ピンに係合し、これによって筐体の装置本体に対する収納状態が維持される一方、係合部材の操作によって当該係合部材の保持ピンに対する係合を解除することにより装置本体から引き出し得るようになるため、筐体の装置本体に対する完全な収納状態の確保や、収納された筐体のロックおよびロック解除を確実に行うことができる。
【発明を実施するための最良の形態】
【００２５】
本実施形態においては、ロール紙を転写用紙として使用するタイプの複写機を例に挙げて本発明に係る画像形成装置について説明する。図１は、本発明に係る画像形成装置の一実施形態を示す外観斜視図である。また、図２および図３は、その内部構造の概略を説明するための断面視の説明図であり、図２は、上段位置１９１の一対のロール紙貯留ユニット２０のいずれもが装置本体１１内に収納された状態、図３は、一対のロール紙貯留ユニット２０のいずれもが装置本体１１から引き出された状態をそれぞれ示している。なお、これらの図において、Ｘ−Ｘ方向を幅方向、Ｙ−Ｙ方向を前後方向といい、特に−Ｘ方向を左方、＋Ｘ方向を右方、−Ｙ方向を後方、＋Ｙ方向を前方という。
【００２６】
まず、図１に示すように、本実施形態に係る画像形成装置１０は、幅寸法が前後寸法より長尺で、高さ寸法が略１ｍ前後の直方体状を呈した装置本体１１を有し、この装置本体１１内に画像形成用の各種の機器が装着されている。かかる装置本体１１には、その上面の後方部分に幅寸法より若干短めで幅方向に長尺の原稿給紙トレイ１２が設けられているとともに、この原稿給紙トレイ１２の直下位置に転写処理済の引出し紙Ｒ０（用紙）を排紙するための開口が後方に向いた幅方向に長尺の排紙口１３が設けられている。
【００２７】
また、前記装置本体１１における排紙口１３の下方位置前面には、観音開きで開閉される用紙受け部１４が設けられている。この用紙受け部１４は、装置本体１１の前面を覆う幅方向一対の前面板１４１と、各前面板１４１に一体に設けられ、かつ、装置本体１１の前面の幅方向各縁部に対応した上下方向に長尺の側板１４２とからなり、各前面板１４１を閉止することによって装置本体１１と前面板１４１との間に排紙された引出し紙Ｒ０を収納する排紙ボックス１４０が形成されるようになっている。
【００２８】
前記前面板１４１は、上縁部が前方に向って湾曲され、これによる排紙ボックス１４０の上面開口の拡大で上方から排紙される引出し紙Ｒ０を受け入れ易くしている。かかる用紙受け部１４が開放されることによって装置本体１１内に装填されている後述のロール紙Ｒ（図２）の交換を行い得るようになっている。
【００２９】
また、前記排紙口１３と用紙受け部１４との間には観音開きの開閉扉１５が設けられている。そして、この開閉扉１５を開放することによって各種の機器の搭載されたユニットを引出し得るようになっている。かかる開閉扉１５を開放して前記ユニットを装置本体１１から前方へ向けて引き出すことにより、ユニットに搭載された各種の機器のメンテナンス作業を容易に行うことができる。
【００３０】
また、前記原稿給紙トレイ１２の後方位置には、給紙された原稿Ｐを覆うカバー体１６が設けられ、このカバー体１６内に後述する原稿読取り部１７が設けられている。そして、原稿給紙トレイ１２から原稿読取り部１７へ給紙された原稿Ｐは、装置本体１１の後方上面をスライドして排紙されるようになっている。
【００３１】
以下、このような画像形成装置１０の内部構造の概要について図２および図３を基に説明する。画像形成装置１０は、図２に示すように、装置本体１１の上面位置に形成された原稿読取り部１７と、装置本体１１内における原稿読取り部１７の直下に設けられた画像形成部１８と、この画像形成部１８の下方位置に設定されたロール紙貯留部１９とを備えた基本構成を有している。
【００３２】
前記原稿読取り部１７は、カバー体１６内と装置本体１１内とに亘って上下で対向配置された前後方向一対の給紙ローラ対１７１と、これら一対の給紙ローラ対１７１間においてカバー体１６側に設けられ、かつ、装置本体１１の上面に付設されたコンタクトガラス１７３へ向けて原稿Ｐを押圧する原稿押えローラ１７２と、前記コンタクトガラス１７３の直下位置に設けられた光学系ユニット１７４とを備えて構成されている。
【００３３】
前記光学系ユニット１７４は、図略の発光部と受光部とを有しており、発光部の光源からコンタクトガラス１７３を介して原稿Ｐの原稿面に向けて光を照射するとともに、原稿面からの反射光を受光部に設けられたＣＣＤ（ｃｈａｒｇｅ  ｃｏｕｐｌｅｄ  ｄｅｖｉｃｅ）で受光するようになっている。そして、ＣＣＤによって受光された原稿Ｐのアナログの画像情報は、ディジタルに変換されたのち記憶装置１７５に記憶され、必要に応じて画像形成部１８へ向けて出力されるようになっている。
【００３４】
前記画像形成部１８は、図２において反時計方向へ向けて回転する幅方向（図２の紙面に直交する方向）に長尺の感光体ドラム１８１と、この感光体ドラム１８１周りに回転方向の上流側から順次配されたクリーニング装置１８２、帯電ユニット１８３、露光ユニット１８４および現像装置１８５と、クリーニング装置１８２の前方位置に設けられた定着装置１８６とを備えている。
【００３５】
前記クリーニング装置１８２は、感光体ドラム１８１の周面に残留している残留トナーを取り除いて当該周面を清浄化し、感光体ドラム１８１をつぎの転写処理に備えさせるためのものである。前記帯電ユニット１８３は、クリーニング装置１８２によって清浄化された感光体ドラム１８１の周面に対して電荷を供給し、これによって同周面を一様に帯電させるものである。
【００３６】
前記露光ユニット１８４は、記憶装置１７５が記憶している画像情報に基づき一様に帯電している感光体ドラム１８１の周面に向けてレーザー光を照射するものである。かかるレーザー光の照射によって、感光体ドラム１８１の周面に静電潜像が形成されることになる。
【００３７】
前記現像装置１８５は、静電潜像の形成された感光体ドラム１８１の周面に向けてトナーを供給するものである。かかるトナーの供給によって感光体ドラム１８１の周面にトナー像が形成される。このトナー像は、感光体ドラム１８１の反時計方向への回転によって、ロール紙貯留部１９のロール紙Ｒから引き出された引出し紙Ｒ０へ転写される。
【００３８】
前記定着装置１８６は、感光体ドラム１８１による転写処理が施された引出し紙Ｒ０のトナー像に対して定着処理を施すものであり、加熱ローラ１８６ａと、この加熱ローラ１８６ａの下部で対向配置された加圧ローラ１８６ｂとを備えている。そして、引出し紙Ｒ０は、これらローラ１８６ａ，１８６ｂ間を押圧挟持されつつ通過する間に加熱ローラ１８６ａによって加熱され、これによるトナーの溶融でトナー像が引出し紙Ｒ０の紙面に定着されるようになっている。そして、定着装置１８６で定着処理の施された引出し紙Ｒ０は、装置本体１１の前面側に設けられた排紙口１３を介して外部へ排紙され、排紙ボックス１４０に受けられるようになっている。
【００３９】
本実施形態においては、加熱ローラ１８６ａおよび加圧ローラ１８６ｂは、回転しながら引出し紙Ｒ０を押圧挟持することによって、後述する搬送ローラ対１９４とともに引出し紙Ｒ０をロール紙Ｒから引き出す役割も担っている。すなわち、加熱および加圧ローラ１８６ａ，１８６ｂおよび搬送ローラ対１９４は、後述する駆動機構（駆動系）４０の援助の基に引出し紙Ｒ０をロール紙Ｒから引き出す機能が付与されているのである。
【００４０】
前記ロール紙貯留部１９は、転写処理が施されるロール紙Ｒを貯留する部分であり、装置本体１１内における画像形成部１８の下方位置に設定されている。かかるロール紙貯留部１９には、ロール紙Ｒが装着されるロール紙貯留ユニット２０が内装されている。本実施形態においては、ロール紙貯留部１９は上下２段に形成され、上段位置１９１には２台のロール紙貯留ユニット２０が装置本体１１に対して挿脱可能に装着されているとともに、下段位置１９２には１台のロール紙貯留ユニット２０が挿脱自在に装着されている。
【００４１】
ロール紙貯留部１９の上段位置１９１に装着された２台のロール紙貯留ユニット２０の内、前方（図２の紙面の右方）側のものは、図３に示すように、前方に向って引き出し可能になっているとともに、後方側のものは同図に示すように後方に向って引き出し可能になっている。また、下段位置１９２に装着されるロール紙貯留ユニット２０は、本実施形態においては、上段位置１９１のロール紙Ｒがなくなったときに予備的に使用されるものであり、下段位置１９２に１台だけが装着されているが、１台であることに限定されるものではなく、上段位置１９１と同様に２台を装着してもよい。
【００４２】
そして、上段位置１９１の２台のロール紙貯留ユニット２０がいずれも装置本体１１内に収納された状態では、前方（図２の右方）のロール紙貯留ユニット２０は、装置本体１１内に完全に嵌め込まれた状態になっているのに対し、後方のロール紙貯留ユニット２０は、その略半分が装置本体１１から外部に突出した状態になっている。但し、これは、装置本体１１の前後の厚み寸法がロール紙貯留ユニット２０の２台分の長さ寸法より短いためであり、装置本体１１の厚みをロール紙貯留ユニット２０の２台分に設定するか、あるいはロール紙貯留ユニット２０の前後寸法を短く設定することで収納状態のロール紙貯留ユニット２０を装置本体１１から突出させないようにすることができる。
【００４３】
かかる各ロール紙貯留ユニット２０に装着されたロール紙Ｒは、２台の内の選択されたものが引き出され、前後のロール紙貯留ユニット２０の当接位置から上方に向かって延びる搬送路１９３を通って感光体ドラム１８１の下部周面に供給され、ここで感光体ドラム１８１の周面に形成されたトナー像の引出し紙Ｒ０に対する転写処理が実行されるようになっている。
【００４４】
前記搬送路１９３には、所定組の搬送ローラ対１９４が設けられ、ロール紙Ｒから引き出された引出し紙Ｒ０は、これらの搬送ローラ対１９４の駆動回転によって感光体ドラム１８１へ向けて送り込まれるようになっている。そして、かかる搬送路１９３の適所には、予め設定された所定の長さで引出し紙Ｒ０をカットするためのカッター１９５が設けられている。
【００４５】
そして、所定の引き出し長に達した引出し紙Ｒ０は、カッター１９５によって幅方向の全長に亘ってカットされ、以後枚葉紙となって感光体ドラム１８１による転写処理が施された後、定着装置１８６で定着処理が施され、排紙口１３から排紙ボックス１４０へ排紙されることになる。
【００４６】
また、搬送路１９３の下端部には、各ロール紙貯留ユニット２０が装置本体１１内に押し込まれた状態でロール紙貯留ユニット２０の用紙導出口２０３に対向し、かつ、それぞれの用紙導出口２０３から導出された引出し紙Ｒ０を搬送路１９３へ導く幅広の用紙受入口１９６が設けられ、これによって各ロール紙貯留ユニット２０が装置本体１１内に押し込まれた状態で、いずれか一方のロール紙貯留ユニット２０からその用紙導出口２０３を介して導出されたロール紙Ｒは、幅広の用紙受入口１９６に確実に捕捉され、用紙搬送路へ向うことになる。
【００４７】
図４は、上段位置１９１に装着された一対のロール紙貯留ユニット２０の一実施形態を示す一部切欠き斜視図であり、図５は、前方のロール紙貯留ユニット２０にロール紙Ｒが装着された状態を示す斜視図である。また、図６は、後方のロール紙貯留ユニット２０にロール紙Ｒが装着された状態を示す側面視の断面図であり、図７は、駆動機構４０の一実施形態を説明するための保持部材の側面視の断面図である。なお、これらの図においてＸおよびＹで示す方向表示は、図３の場合と同様である。
【００４８】
まず、図４に示すように、ロール紙貯留ユニット２０は、装置本体１１（図２）の幅方向一対の側壁に対向配置された前後方向に延びる一対のガイドレール２１にガイドされつつ正逆移動して装置本体１１に収納された収納位置と、装置本体１１から外部に引き出された引出し位置との間で位置変更可能になっている。なお、図４に示す例では，前方のロール紙貯留ユニット２０が収納位置に、後方のロール紙貯留ユニット２０が引出し位置にそれぞれ位置設定されている。
【００４９】
かかるロール紙貯留ユニット２０は、平面視で矩形状を呈した筐体２０１にロール紙Ｒの筒状芯材Ｒ１（図５）を保持する保持部材３０と、この保持部材３０に保持された筒状芯材Ｒ１を筒心回りに回転させる駆動機構４０（図７）と、ロール紙Ｒを支持するロール支持筒体５０（図５）とが装着されることによって構成されている。
【００５０】
前記筐体２０１は、前記ガイドレール２１に摺動自在に装着される各幅方向一対のスライダ２２と、これら一対のスライダ２２の対向面にそれぞれ固定された幅方向一対の側板２３と、これら一対の側板２３間に架設された下部案内板２４（図６）と、この下部案内板２４の上部で一対の側板２３間に架設されて当該下部案内板２４と対向配置された上部案内板２５と、前記下部案内板２４に連接された底板２０２とを備えて構成されている。
【００５１】
また、前記保持部材３０は、前記各案内板２４，２５の上流側（前方のロール紙貯留ユニット２０の場合は前方側、後方のロール紙貯留ユニット２０の場合は後方側）において各側板２３に対向配置されている。
【００５２】
前記スライダ２２は、図４に示すように、各ガイドレール２１の対向面に当接された状態で上下の縁部が外方に向って折り返されるようにして形成され、これによってガイドレール２１に対し外れ止め状態で前後に摺動し得るようになっている。また、一対の側板２３間には、前記案内板２４，２５が架設されるとともに、前後方向一対のタイロッド２６が架設され、これによって筐体２０１は、安定した状態でスライダ２２を介してガイドレール２１にガイドされつつ一体的に前後方向に正逆移動し得るようになっている。
【００５３】
前記下部案内板２４は、図６に示すように、側板２３の下流側（図６に示す前方側のロール紙貯留ユニット２０においては側板２３の後方側）にさらに下流側へ向って先上りに傾斜して形成されているとともに、前記上部案内板２５は、この下部案内板２４の上方において所定の間隔で下部案内板２４と対向配置されている。かかる下部案内板２４と上部案内板２５との間に形成されたロール紙通過隙間２３０にロール紙Ｒから引き出された引出し紙Ｒ０が挿通される。
【００５４】
前記上部案内板２５は、図６に示すように、上流側上部案内板２５１と、下流側でこの上流側上部案内板２５１に隣接された下流側上部案内板２５２とからなっている。そして下流側上部案内板２５２側には、一対の側板２３間の中央部に架設された上部アイドルローラ２３１が設けられている一方、下部案内板２４側には上部アイドルローラ２３１と対向した下部アイドルローラ２３２が設けられている。これらのアイドルローラ２３１，２３２は、上流側上部案内板２５１および下部案内板２４を貫通して周面同士が互いに当接され、ロール紙Ｒから引き出された引出し紙Ｒ０は、これらのアイドルローラ２３１，２３２に挟持されつつ前進するようになっている。
【００５５】
また、各ロール紙貯留ユニット２０には、各筐体２０１の先端側（対向面側）に図２〜図４に示すような仕切り板２７（なお図４では、図示の都合上、後方側のロール紙貯留ユニット２０について仕切り板２７の図示を省略している）が立設されている。この仕切り板２７は、一対の側板２３間に架設され、上縁部が前記搬送路１９３の下端部の前後に開いた開口と対向するように上下寸法が設定されている。かかる仕切り板２７を設けることによって、ロール紙Ｒから引出された引出し紙Ｒ０（特に下段位置１９２のロール紙Ｒからの引出し紙Ｒ０）が当該仕切り板２７に案内され、スムーズに搬送路１９３へ送り込まれることになる。
【００５６】
前記ロール支持筒体５０は、図５に示すように、ロール紙Ｒが外嵌される筒本体５１と、この筒本体５１の両端部に同心で着脱自在に接続される装着リング５２とを備えて構成されている。前記筒本体５１は、外径寸法がロール紙Ｒの筒状芯材Ｒ１の内径寸法と略同一に径設定され、筒状芯材Ｒ１を筒本体５１に外嵌することによって両者は、通常、筒状芯材Ｒ１の内周面と筒本体５１の外周面との摩擦力で筒心回りに一体回転するが、いずれか一方に回転方向と反対方向の力が加わった状態においては摺接状態で空回りもし得るようになっている。
【００５７】
前記装着リング５２は、外径寸法が筒状芯材Ｒ１の外径寸法と略同一のリング本体５３と、このリング本体５３と同心で一体に形成された当該リング本体５３より若干小径のリングギヤ５４とからなっている。前記リングギヤ５４は、筒本体５１が一体回転可能に内嵌されるように内径寸法が設定されている。したがって、筒状芯材Ｒ１が外嵌された筒本体５１の両端部にリングギヤ５４をそれぞれ回り止め状態で嵌め込むことによって、ロール紙Ｒがロール支持筒体５０に装着された状態になる。
【００５８】
そして、ロール紙Ｒがロール支持筒体５０に装着された状態では、筒本体５１の内周面と筒状芯材Ｒ１の外周面との間の摩擦力によってロール紙Ｒとロール支持筒体５０とは原則的に筒心回りに一体回転するが、例えばロール支持筒体５０の回転速度が一定であるのに対し、ロール紙Ｒの回転速度が速くなると（すなわち、引出し紙Ｒ０の引出し量の増加に伴ってロール紙Ｒの径寸法が漸減し，これによってロール紙Ｒの回転速度は漸増する）、筒本体５１の外周面と筒状芯材Ｒ１の内周面とはスリップするようになっている。
【００５９】
前記保持部材３０は、図４および図５に示すように、各側板２３から若干離間した位置における底板２０２上であって、前記一対のタイロッド２６の上部に側板２３と平行に設けられている。かかる各保持部材３０は、互いに平行な一対の筒体保持板３１と、これら筒体保持板３１間に介設された、リング本体５３を支持する所定個数の支持ローラ３２とからなっている。
【００６０】
前記各筒体保持板３１は、互いの離間寸法がリング本体５３（図５）の厚み寸法より若干大きめに設定されているとともに、それぞれ上縁部から切り欠かれることによって形成した半円状切欠き部３３を有している。そして、これらの半円状切欠き部３３は、曲率径寸法がリング本体５３の外径寸法より僅かに大きく設定されているとともに、前記支持ローラ３２は、周面の一部が半円状切欠き部３３へ突出するように一対の筒体保持板３１間において前後方向で互いに対向配置されている。
【００６１】
また、一対の筒体保持板３１の内の外側のものには、その外面側に半円状切欠き部３３を覆う覆い板３４（図５）が貼り付けられ、これによって半円状切欠き部３３に装着されたリング本体５３が外側に向けて外れ止めされるようになっている。また、リング本体５３には、その外面側に当該リング本体５３と同心で形成されたフランジ５３１（図５）が設けられている。このフランジ５３１は、リング本体５３が保持部材３０に装着された状態で、一対の支持ローラ３２の外側に位置するように形成位置が設定され、これによって半円状切欠き部３３に嵌め込まれたリング本体５３が内側に向けて外れ止めされるようになっている。
【００６２】
かかる保持部材３０の構成によれば、図５に示すように、ロール紙Ｒが保持部材３０に保持された状態で、リング本体５３が一対の筒体保持板３１の半円状切欠き部３３に嵌り込んで一対の支持ローラ３２に支持された状態になるため、ロール支持筒体５０は、前記支持ローラ３２がローラ心回りに回転し得ることによって筒心回りに回転可能になる。
【００６３】
前記駆動機構４０は、図７に示すように、一方の保持部材３０（図７では前方側左方の保持部材３０を示している）における筒体保持板３１間の半円状切欠き部３３の略下方位置に形成されている。
【００６４】
かかる駆動機構４０は、保持部材３０に保持されたロール支持筒体５０を筒心回りに回転させるものであり、一対の筒体保持板３１間に配設された駆動ギヤ４１と、第１従動ギヤ４２と、第１プーリ４３と、第２プーリ４４と、第３プーリ４５と、第２従動ギヤ４６と、第４プーリ４７と、無端ベルト４８と、第３従動ギヤ４９とを備えて構成されている。
【００６５】
前記駆動ギヤ４１は、保持部材３０の前方下部位置において一対の筒体保持板３１間に架設された駆動ギヤ軸４１１回りに回転自在に軸支され、装置本体１１内に設けられた図略の駆動モータの駆動によって駆動回転するようになっている。
【００６６】
前記第１従動ギヤ４２は、前方のタイロッド２６に回転可能に自在に軸支され、前記駆動ギヤ４１に噛合することによってタイロッド２６回りに従動回転するようになっている。前記第１プーリ４３は、第１従動ギヤ４２と同心で一体回転可能に前方のタイロッド２６に軸支されているとともに、前記第２プーリ４４は、後方のタイロッド２６に回転自在に軸支されている。
【００６７】
前記第３プーリ４５は、前記第２プーリ４４の後方上部で一対の筒体保持板３１間に架設された第１支軸３５回りに回転自在に軸支されている。また、前記第２従動ギヤ４６は、前記第３プーリ４５と同心で一体回転可能に前記第１支軸３５に軸支されている。
【００６８】
前記第４プーリ４７は、前記第２プーリ４４と後方の前記支持ローラ３２との略中間位置で一対の筒体保持板３１間に架設された第２支軸３６回りに回転自在に軸支されている。
【００６９】
そして、前記無端ベルト４８は、前記第１プーリ４３、第２プーリ４４、第３プーリ４５および第４プーリ４７に張設され、駆動ギヤ４１の駆動回転による第１従動ギヤ４２を介した第１プーリ４３の回転により第２プーリ４４および第４プーリ４７を介して第１プーリ４３および第３プーリ４５間で周回するようになっている。
【００７０】
前記第３従動ギヤ４９は、前記第２従動ギヤ４６の上方で一対の筒体保持板３１間に架設された第３支軸３７回りに回転自在に軸支されている。この第３従動ギヤ４９は、第２従動ギヤ４６および前記ロール支持筒体５０のリングギヤ５４の双方と噛合するように位置設定および寸法設定されている。
【００７１】
したがって、図７において、駆動ギヤ４１が駆動ギヤ軸４１１回りに反時計方向に駆動回転すると、この駆動回転は、当該駆動ギヤ４１と噛合している第１従動ギヤ４２に伝達されて当該第１従動ギヤ４２が前方のタイロッド２６回りに時計方向に回転する。この第１従動ギヤ４２の回転は、第１プーリ４３を介して無端ベルト４８に伝達され、これによって無端ベルト４８は、第１従動ギヤ４２と第３プーリ４５との間で時計方向に周回するため、この周回は第３プーリ４５を介して第２従動ギヤ４６に伝達され、第２従動ギヤ４６は、第１支軸３５回りに時計方向に回転する。この第２従動ギヤ４６の回転は、当該第２従動ギヤ４６と噛合している第３従動ギヤ４９に伝達され、第３従動ギヤ４９は、第３支軸３７回りに反時計方向に回転する。
【００７２】
そして、この第３従動ギヤ４９の反時計方向へ向かう回転は、当該第３支軸３７と噛合しているリングギヤ５４に伝達され、これによるリングギヤ５４の軸心回りの時計方向の回転によってロール支持筒体５０が筒心回りに時計方向に回転し、これにより筒本体５１に筒状芯材Ｒ１を介して外嵌されているロール紙Ｒは、時計方向に回転することで前記搬送ローラ対１９４の同期回転と相俟ってロール支持筒体５０の位置から引き出されていくことになる。
【００７３】
つぎに、ロール紙貯留ユニット２０の装置本体１１（図２）に対するロック構造６０について図８および図９を基に説明する。図８および図９は、ロール紙貯留ユニット２０の装置本体１１に対するロック構造６０を説明するためのロール紙貯留ユニット２０の要部の部分拡大斜視図であり、図８は、ロール紙貯留ユニット２０がスライダ２２に支持された状態、図９は、ロール紙貯留ユニット２０がスライダ２２から外された状態をそれぞれ示している。因みに、図８では、前方側のロール紙貯留ユニット２０を示している。また、図８および図９におけるＸおよびＹによる方向表示は図１の場合と同様である。
【００７４】
これらの図に示すように、ロック構造６０は、筐体２０１の側板２３に設けられたユニット側係止突起６１（図８）と、装置本体１１内の排紙口１３（図１、図２）近傍の図略のフレームに突設された装置本体側突起（保持ピン）６２と、前記ユニット側係止突起６１に対応して装置本体１１側に設けられた装置本体側ロック部材６３と、前記装置本体側突起６２に対応して筐体２０１の側板２３に設けられたユニット側ロック部材（係合部材）６４とを備えて構成されている。
【００７５】
前記ユニット側係止突起６１は、側板２３におけるスライダ２２の下方前端位置から外方（左方）に向って突設されている。これに対し前記装置本体側突起６２は、装置本体１１内の所定のフレームにおける排紙口１３近傍において、引き出された状態のロール紙貯留ユニット２０のユニット側係止突起６１の上方位置（図８）に設けられている。
【００７６】
前記装置本体側ロック部材６３は、ユニット側係止突起６１に対して係止および係止解除を行うものであり、ロール紙貯留ユニット２０が引き出された状態におけるユニット側係止突起６１と対向する位置に設けられている。かかる装置本体側ロック部材６３は、装置本体１１に固定された装置本体側支軸６３１回りに回動可能に軸支されたロック板６３２と、このロック板６３２の前方側が外方に向って折り曲げられることによって形成した操作片６３３とからなっている。操作片６３３は、装置本体側ロック部材６３を装置本体側支軸６３１回りに回動操作するためのものである。
【００７７】
前記ロック板６３２の上縁の前後方向中央部には、下方に向けて切り欠かれることによって形成した係止凹部６３４が設けられているとともに、この係止凹部６３４の後方部分には、後方に向って先下がりの案内傾斜縁６３５が形成されている。前記係止凹部６３４および案内傾斜縁６３５は、ユニット側係止突起６１に対応して設けられ、ロール紙貯留ユニット２０が装置本体１１から引き出された状態で、ユニット側係止突起６１が、図８に示すように、係止凹部６３４に嵌り込むようになっている。
【００７８】
かかる装置本体側ロック部材６３は、装置本体側支軸６３１に装着されたコイルばね６３６の付勢力によって水平姿勢が維持されるようになっている。したがって、筐体２０１を装置本体１１から引き出していくと、ユニット側係止突起６１は、ロック板６３２の案内傾斜縁６３５と干渉してロック板６３２をコイルばね６３６の付勢力に抗して装置本体側支軸６３１回りに反時計方向に回動させたのちコイルばね６３６の付勢力によるロック板６３２の時計方向の回動で係止凹部６３４に嵌り込み（図８）、これによってロール紙貯留ユニット２０の引き出し状態がロックされるようになっている。
【００７９】
このロックを解除するには、操作片６３３が上方に向けて操作される。これによるロック板６３２の装置本体側支軸６３１回りの反時計方向へ向かう回動でユニット側係止突起６１の係止凹部６３４に対するロック状態が解除され、これによって筐体２０１は装置本体１１内へ押し込まれ得るようになる。
【００８０】
前記ユニット側ロック部材６４は、筐体２０１が装置本体１１へ押し込まれた状態で、前記装置本体側突起６２に対して係止および係止解除を行うものであり、筐体２０１が押し込まれた状態における装置本体側突起６２と対向する位置に設けられている。かかるユニット側ロック部材６４は、図９に示すように、側板２３の前端上部に固定された側板側支軸６４１回りに回動可能に軸支されたロック板６４２と、このロック板６４２の前方側が内方に向って折り曲げられることによって形成した操作片６４３とからなっている。操作片６４３は、ユニット側ロック部材６４を側板側支軸６４１回りに回動操作するためのものである。
【００８１】
前記ロック板６４２の上縁の前後方向中央部には、下方に向けて切り欠かれることによって形成した係止凹部６４４が設けられているとともに、この係止凹部６４４の後方部分には、後方に向って先下がりの案内傾斜縁６４５が形成されている。前記係止凹部６４４および案内傾斜縁６４５は、装置本体側突起６２に対応して設けられ、ロール紙貯留ユニット２０が装置本体１１に押し込まれた状態で、装置本体側突起６２が、図９に示すように、係止凹部６４４に嵌り込むようになっている。
【００８２】
かかるユニット側ロック部材６４は、側板側支軸６４１に装着された図略のコイルばねの付勢力によって水平姿勢が維持されるようになっている。したがって、筐体２０１を装置本体１１へ向けて押し込んでいくと、装置本体側突起６２は、ロック板６４２の案内傾斜縁６４５と干渉してロック板６４２をコイルばねの付勢力に抗して側板側支軸６４１回りに反時計方向に回動させたのちコイルばねの付勢力によるロック板６４２の時計方向の回動で係止凹部６４４に嵌り込み（図９）、これによってロール紙貯留ユニット２０の装置本体１１への押し込み状態がロックされるようになっている。
【００８３】
このロックを解除するには、操作片６４３が上方に向けて操作される。これによるロック板６４２の側板側支軸６４１回りの反時計方向へ向かう回動で装置本体側突起６２の係止凹部６４４に対するロック状態が解除され、これによってロール紙貯留ユニット２０は装置本体１１から引き出され得るようになる。
【００８４】
また、装置本体１１内の図略のフレームには、図９に示すように、筐体２０１が装置本体１１内に押し込まれた状態で側板２３の先端縁部が当止するストッパ６５が設けられている。本実施形態においては、ストッパ６５としてＵ字状に折り曲げられた板ばねが採用され、筐体２０１が装置本体１１内に勢いよく押し込まれたときの衝撃が、この板ばねからなるストッパ６５の弾性変形によって緩和されるようにしている。
【００８５】
本実施形態に係る画像形成装置１０は、以上詳述したように、装置本体１１に内装されたロール紙貯留ユニット２０に装着されたロール紙Ｒから引き出される引出し紙Ｒ０に対して所定の画像形成処理を施すことにより当該引出し紙Ｒ０に画像を転写するものであり、ロール紙貯留ユニット２０は、装置本体１１内で一対が互いに対向配置されているとともに、装置本体１１から互いに反対方向に引き出し可能に構成されているため、設定段数の２倍のロール紙貯留ユニット２０を装置本体１１内に装着することが可能になり、これによって画像形成装置の大型化を抑えた上でより多くの種類やより多くの量のロール紙Ｒを装置本体１１内に装着することができる。
【００８６】
また、ロール紙貯留ユニット２０は、装置本体１１から互いに反対方向に引き出し可能になっているため、対向配置されたロール紙貯留ユニット２０の一方の引き出し側に備品や小物等の異物が存在しているような場合、他方の引き出し側のロール紙貯留ユニット２０を使用することができ、これによって、ロール紙貯留ユニット２０の交換作業の容易性を確保した上で、異物の存在に影響されることなく装置本体１１の据え付け姿勢を設定することが可能になり、画像形成装置の据え付け姿勢設定の自由度を向上させることができる。
【００８７】
また、本実施形態においては、ロール紙貯留ユニット２０に貯留される用紙としてロール紙Ｒが採用されており、特にロール紙Ｒの場合、枚葉紙に比べて上下方向に嵩高くなって装置本体１１の上下寸法が過大になる傾向があるが、ロール紙貯留ユニット２０の一対を装置本体１１内の同一高さレベルで対向配置することにより、たとえロール紙貯留ユニット２０がロール紙Ｒを採用するものであっても、装置本体１１の過大化を有効に抑止することができる。
【００８８】
また、搬送路１９３の下端部には、各ロール紙貯留ユニット２０が装置本体１１内に押し込まれた状態でロール紙貯留ユニット２０の用紙導出口２０３に対向し、かつ、それぞれの用紙導出口２０３から導出された引出し紙Ｒ０を搬送路１９３へ導く幅広の用紙受入口１９６が設けられ、これによって各ロール紙貯留ユニット２０が装置本体１１内に押し込まれた状態で、いずれか一方のロール紙貯留ユニット２０からその用紙導出口２０３を介して導出されたロール紙Ｒは、幅広の用紙受入口１９６に確実に捕捉され、用紙搬送路へ向うことになるため、ロール紙Ｒに画像を転写するためにいずれのロール紙貯留ユニット２０が選択されても、当該ロール紙貯留ユニット２０に装填されているロール紙Ｒからの引出し紙Ｒ０を確実に搬送路１９３へ向かわせることができる。
【００８９】
また、ロール紙貯留ユニット２０は、ロール紙Ｒを支持する一対の支持ローラ３２を備えた筐体２０１と、支持ローラ３２をローラ心回りに回転させる駆動機構４０とを有しているとともに、筐体２０１は、装置本体１１内を前後方向に横断するように敷設されたガイドレール２１にガイドされつつ正逆移動し得るように支持されているため、駆動機構４０の駆動による支持ローラ３２のローラ心回りの駆動回転でロール紙Ｒは回転し、これによってロール紙Ｒから引き出された引出し紙Ｒ０が画像形成位置へ向けて給紙されることになる。そして、ロール紙Ｒの装着された筐体２０１は、装置本体１１内を前後方向に横断するように敷設されたガイドレール２１にガイドされつつ正逆移動し得るように支持されているため、筐体２０１の装置本体１１に対する挿脱操作を容易に行うことができる。
【００９０】
また、装置本体１１には、筐体２０１が装置本体１１内の所定の収納位置へ押し込まれた状態で当該筐体２０１の側板２３の先端縁部が当止するストッパ６５が設けられているため、装置本体１１内に押し込まれた筐体２０１は、装置本体１１に設けられたストッパ６５に規制されることによってオーバーランが阻止され、所定の収納位置に収納されるとともに、ストッパ６５として板ばねを採用すれば、筐体２０１が勢いよく装置本体１１内に押し込まれたときの衝撃が板ばねの弾性変形によって吸収され、これによって騒音や振動の発生を有効に防止することができる。
【００９１】
また、装置本体１１内の所定のフレームには、筐体２０１の収納位置での収納状態を保持する装置本体側突起６２が設けられている一方、筐体２０１の側板２３には、装置本体側突起６２と係合する係合姿勢と、係合を解除する解除姿勢との間で姿勢変更するユニット側ロック部材６４が設けられているため、筐体２０１が装置本体１１に収納された状態で、ユニット側ロック部材６４を係合姿勢に姿勢設定することによって当該ユニット側ロック部材６４がユニット側係止突起６１に係合し、これによって筐体２０１の装置本体１１への収納状態を確実に維持することができ、筐体２０１が自然に引き出されてしまうような不都合の発生を防止することができる。
【００９２】
本発明は、上記の実施形態に限定されるものではなく、以下の内容をも包含するものである。
【００９３】
（１）上記の実施形態においては、ロール紙貯留部１９にはロール紙Ｒを貯留するように構成されているが、本発明は、ロール紙貯留部１９にロール紙Ｒを貯留することに限定されるものではなく、枚葉紙を貯留するように構成してもよい。
【００９４】
（２）上記の実施形態においては、ロール紙貯留部１９として上段位置１９１と下段位置１９２とが設定され、下段位置１９２に補助的に１台のロール紙貯留ユニット２０が装着されているが、本発明は、補助的な１台のロール紙貯留ユニット２０を必須とするものではなく、特に設けなくてもよい。
【００９５】
（３）上記の実施形態においては、ロール紙貯留部１９の上段位置１９１に前後に引き出し得る２台のロール紙貯留ユニット２０が直列に収納され、同下段位置１９２に１台のロール紙貯留ユニット２０が収納されているが、こうする代わりに下段位置１９２にも２台のロール紙貯留ユニット２０を収納する等、２台のロール紙貯留ユニット２０の収納状態を複数段（２段、３段あるいは４段等）にしてもよい。
【００９６】
（４）上記の実施形態においては、ロール紙貯留ユニット２０に貯留されているロール紙Ｒを回転させることによって引出し紙Ｒ０を引き出し易くする駆動機構４０が設けられているが、装置本体１１側に引出し紙Ｒ０を強力に引っ張る引出し機構を採用した場合には、ロール紙貯留ユニット２０側に特に駆動機構４０を設けなくてもよい。
【００９７】
（５）上記の実施形態においては、駆動機構４０は、ロール支持筒体５０を一定の速度で回転させるようにしているが、こうする代わりに、画像形成部１８における引出し紙Ｒ０の累積引き出し量に比例させてロール支持筒体５０の回転速度を順次速くするように制御してもよい。こうすることによって、ロール紙Ｒから引き出される引出し紙Ｒ０の引出し速度と、画像形成部１８で転写される引出し紙Ｒ０の移動速度とが常に同一になるため、より円滑なロール紙Ｒに対する転写処理が実現する。
【００９８】
（６）上記の実施形態においては、ストッパ６５として板ばねが採用されているが、本発明はストッパ６５が板ばねであることに限定されるものではなく、ゴム等の弾性材料やコイルスプリング等、弾性を備えた材料であればどのようなものでもストッパ６５として採用することができる。
【００９９】
（７）上記の実施形態において、ロール紙貯留ユニット２０に装填されているロール紙Ｒが消費されてしまったことを検出するセンサを設け、このセンサの検出結果に基いて画像形成部１８への給紙を、ロール紙Ｒが存在する他のロール紙貯留ユニット２０からに切り換えるように構成してもよい。こうすることによって、たとえ使用中のロール紙貯留ユニット２０のロール紙Ｒがなくなっても、自動的に他のロール紙貯留ユニット２０と切り換えられて画像形成処理が継続されるため、紙切れの都度一旦画像形成処理を中断してロール紙Ｒを補給するような面倒な作業を行う必要がなくなり、その分作業効率を向上させることができる。
【図面の簡単な説明】
【０１００】
【図１】本発明に係る画像形成装置の一実施形態を示す外観斜視図である。
【図２】図１に示す画像形成装置の内部構造の概略を説明するための断面視の説明図であり、上段位置の一対のロール紙貯留ユニットのいずれもが装置本体内に収納された状態を示している。
【図３】図１に示す画像形成装置の内部構造の概略を説明するための断面視の説明図であり、上段位置の一対のロール紙貯留ユニットのいずれもが装置本体から引き出された状態を示している。
【図４】上段位置に装着された一対のロール紙貯留ユニットの一実施形態を示す斜視図である。
【図５】前方のロール紙貯留ユニットにロール紙が装着された状態を示す斜視図である。
【図６】後方のロール紙貯留ユニットにロール紙が装着された状態を示す側面視の断面図である。
【図７】駆動機構の一実施形態を説明するための保持部材の側面視の断面図である。
【図８】ロール紙貯留ユニットの装置本体に対するロック構造を説明するためのロール紙貯留ユニットの要部の部分拡大斜視図であり、ロール紙貯留ユニットがスライダに支持された状態を示している。
【図９】ロール紙貯留ユニットの装置本体に対するロック構造を説明するためのロール紙貯留ユニットの要部の部分拡大斜視図であり、ロール紙貯留ユニットがスライダから外された状態を示している。
【符号の説明】
【０１０１】
１０  画像形成装置            １１装置本体
１２  原稿給紙トレイ          １３  排紙口
１４  用紙受け部              １４０  排紙ボックス
１４１  前面板                １４２  側板
１５  開閉扉                  １６  カバー体
１７  原稿読取り部            １７１  給紙ローラ対
１７２  原稿押えローラ        １７３  コンタクトガラス
１７４  光学系ユニット        １７５  記憶装置
１８  画像形成部              １８１  感光体ドラム
１８２  クリーニング装置      １８３  帯電ユニット
１８４  露光ユニット          １８５  現像装置
１８６  定着装置              １８６ａ  加熱ローラ
１８６ｂ  加圧ローラ          １９  ロール紙貯留部
１９１  上段位置              １９２  下段位置
１９３  搬送路                １９４  搬送ローラ対
１９５  カッター              １９６  用紙受入口
２０  ロール紙貯留ユニット（用紙貯留ユニット）
２０１  筐体                  ２０２  底板
２０３  用紙導出口            ２１  ガイドレール
２２  スライダ                ２３  側板
２３０  ロール紙通過隙間      ２３１  上部アイドルローラ
２３２  下部アイドルローラ    ２４  下部案内板
２５  上部案内板              ２５１  上流側上部案内板
２５２  下流側上部案内板      ２６  タイロッド
２７  仕切り板                ３０  保持部材
３１  筒体保持板              ３２  支持ローラ
３３  半円状切欠き部          ３４  覆い板
３５  第１支軸                ３６  第２支軸
３７  第３支軸                ４０  駆動機構（駆動系）
４１  駆動ギヤ                ４１１  駆動ギヤ軸
４２  第１従動ギヤ            ４３  第１プーリ
４４  第２プーリ              ４５  第３プーリ
４６  第２従動ギヤ            ４７  第４プーリ
４８  無端ベルト              ４９  第３従動ギヤ
５０  ロール支持筒体          ５１  筒本体
５２  装着リング              ５３  リング本体
５３１  フランジ              ５４  リングギヤ
６０  ロック構造              ６１  ユニット側係止突起
６２  装置本体側突起（保持ピン）
６３  装置本体側ロック部材    ６３１  装置本体側支軸
６３２  ロック板              ６３４  係止凹部
６３５  案内傾斜縁            ６４  ユニット側ロック部材（係合部材）
６４１  側板側支軸            ６４２  ロック板
６４３  操作片                ６４５  案内傾斜縁
Ｐ  原稿                      Ｒ  ロール紙（用紙）
Ｒ０  引出し紙                Ｒ１  筒状芯材
【図１】
2005255298.tif 000003
【図２】
2005255298.tif 000004
【図３】
2005255298.tif 000005
【図４】
2005255298.tif 000006
【図５】
2005255298.tif 000007
【図６】
2005255298.tif 000008
【図７】
2005255298.tif 000009
【図８】
2005255298.tif 000010
【図９】
2005255298.tif 000011